(57)【要約】      （修正有）【課題】作業者が変わっても、ハンドルや運転席のシート位置、及び昇降ステップ位置を、作業者の体格や操作姿勢に合わせて調節可能な農作業機を提供する。【解決手段】走行車体の後部に、圃場で作業を行う作業装置を設け、走行車体に作業者が搭乗する運転席３を設け、運転席３の前方にハンドルを設けた作業車両において、シートフロア１４に、前後に平行揺動するリンク機構１５を介して作業者が着座するシート１６を支持し、リンク機構１５のフロントリンク１７に螺合させた螺杆１８を回動させてシート１６を前後移動させる前後動ハンドル１９を設け、リンク機構１５のロアリンク２０の前端部を上下動させてシート１６の前傾角度を調節するシート角調節ハンドル２１を設けて構成する。【選択図】図３
2015143080.tif 000002
【特許請求の範囲】
【請求項１】
走行車体（８）の後部に、圃場で作業を行う作業装置（１１）を設け、該走行車体（８）に作業者が搭乗する運転席（３）を設け、該運転席（３）の前方にハンドル（５）を設けた作業車両において、
シートフロア（１４）に、前後に平行揺動するリンク機構（１５）を介して作業者が着座するシート（１６）を支持し、該リンク機構（１５）のフロントリンク（１７）に螺合させた螺杆（１８）を回動させてシート（１６）を前後移動させる前後動ハンドル（１９）を設け、前記リンク機構（１５）のロアリンク（２０）の前端部を上下動させて前記シート（１６）の前傾角度を調節するシート角調節ハンドル（２１）を設けたことを特徴とする農作業機。
【請求項２】
前記シート角調節ハンドル（２１）の回動杆（２２）の下端螺旋部（２３）を、前記シートフロア（１４）に設けたソケット（２４）に保持させたナット（２５）に螺合させ、前記シート角調節ハンドル（２１）の回動操作によって、前記シート（１６）の前傾角度を調節可能としたことを特徴とする請求項１に記載の農作業機。
【請求項３】
走行車体（８）の後部に、圃場で作業を行う作業装置（１１）を設け、該走行車体（８）に作業者が搭乗する運転席（３）を設け、該運転席（３）の前方にハンドル（５）を設けた作業車両において、
前記ハンドル（５）の下部位置に、上下回動可能なレバーハンドル（２６）によって回動するギヤ（２７）を、ステアリング軸（２８）に対して昇降自在にスプライン（２９）を形成して嵌合させたハンドル（５）と一体のステアリングラック（３０）に噛合させて、ハンドル（５）の高さを調節自在に構成したことを特徴とする農作業機。
【請求項４】
走行車体（８）の後部に、圃場で作業を行う作業装置（１１）を設け、該走行車体（８）に作業者が搭乗する運転席（３）を設け、該運転席（３）の前方にハンドル（５）を設けた作業車両において、
前記運転席（３）の側部のサイドフロア（７）の外側下部に形成するサイドステップ（３１）に、該サイドフロア（７）のフロアフレーム（３２）に対して適宜長さのステップアーム（３３）を介して上下方向に回動可能に設け、前記サイドステップ（３１）の外側下方の使用位置（Ａ）と、前記サイドフロア（７）の上側面に重合する収納位置（Ｂ）とに切替回動するサブステップ（３４）を設けたことを特徴とする農作業機。
【請求項５】
走行車体（８）の後部に、圃場で作業を行う作業装置（１１）を設け、該走行車体（８）に作業者が搭乗する運転席（３）を設け、該運転席（３）の前方にハンドル（５）を設けた作業車両において、
前記サイドフロア（７）の左右外側下部のサイドステップ（３１）の下側部にサブステップ（３４）を出入可能に設け、該左右両側部のサブステップ（３４）の出入作動を、相互に左右反対方向に出入作動するように連動する構成としたことを特徴とする農作業機。
【発明の詳細な説明】
【技術分野】
【０００１】
この発明は、乗用走行車体の後部に、多条植形態の苗植付部や、多条施肥形態の施肥装置、又は多条播種形態の播種装置等の作業装置を装着して、圃場土壌面を走行しながら作業する農作業機に関する。
【背景技術】
【０００２】
運転席や、ハンドルの左右両側部に沿ってサイドフロアを形成した乗用走行車体の後部に、多条植形態の苗植付部、及び多条施肥形態の施肥装置を装着して、苗植、及び施肥する農作業機の技術（例えば、特許文献１）が知られている。
【先行技術文献】
【特許文献】
【０００３】
【特許文献１】特開２０１３−２２６０８８号公報
【発明の概要】
【発明が解決しようとする課題】
【０００４】
多条植形態の苗移植機、播種機等の農作業機にあっては、車体のフロア幅を広くして、作業者がフロア上面を移動し易くし、マット苗等の補給作業を行い易くしている形態が多い。
【０００５】
しかしながら、作業者が交代することによって、ハンドルや、運転席のシート位置、更には、フロアに対する昇降ステップ位置等は、作業の種類や、作業者の体格、作業位置等に応じた形態に変更調節することを要する。また、この調節によって作業性を高めることができる。
【０００６】
苗移植機は、広いサイドフロアを配置して、車体の後部に多条植苗植付部を昇降可能に装着して、サイドフロア上面を前後に移動しながら重いマット苗を持ち運んで、苗タンクに対する苗補給作業を行いながら、長行程の苗植作業を行うことが多い。車体の後部に多条施肥形態の施肥装置を装着する場合も、施肥ホッパーに対する肥料補給を行うため、ほぼ同様である。
【０００７】
また、作業者は、サイドフロアに対する乗降や、シートに対する着座、状態、ハンドルの操作姿勢等を頻繁に変えるとともに、補給作業に特異な動き、姿勢で作業操作することが多い。
【課題を解決するための手段】
【０００８】
請求項１に記載の発明は、走行車体（８）の後部に、圃場で作業を行う作業装置（１１）を設け、該走行車体（８）に作業者が搭乗する運転席（３）を設け、該運転席（３）の前方にハンドル（５）を設けた作業車両において、シートフロア（１４）に、前後に平行揺動するリンク機構（１５）を介して作業者が着座するシート（１６）を支持し、該リンク機構（１５）のフロントリンク（１７）に螺合させた螺杆（１８）を回動させてシート（１６）を前後移動させる前後動ハンドル（１９）を設け、前記リンク機構（１５）のロアリンク（２０）の前端部を上下動させて前記シート（１６）の前傾角度を調節するシート角調節ハンドル（２１）を設けたことを特徴とする農作業機とする。
【０００９】
請求項２に記載の発明は、前記シート角調節ハンドル（２１）の回動杆（２２）の下端螺旋部（２３）を、前記シートフロア（１４）に設けたソケット（２４）に保持させたナット（２５）に螺合させ、前記シート角調節ハンドル（２１）の回動操作によって、前記シート（１６）の前傾角度を調節可能としたことを特徴とする請求項１に記載の農作業機とする。
【００１０】
請求項３に記載の発明は、走行車体（８）の後部に、圃場で作業を行う作業装置（１１）を設け、該走行車体（８）に作業者が搭乗する運転席（３）を設け、該運転席（３）の前方にハンドル（５）を設けた作業車両において、前記ハンドル（５）の下部位置に、上下回動可能なレバーハンドル（２６）によって回動するギヤ（２７）を、ステアリング軸（２８）に対して昇降自在にスプライン（２９）を形成して嵌合させたハンドル（５）と一体のステアリングラック（３０）に噛合させて、ハンドル（５）の高さを調節自在に構成したことを特徴とする農作業機とする。
【００１１】
請求項４に記載の発明は、走行車体（８）の後部に、圃場で作業を行う作業装置（１１）を設け、該走行車体（８）に作業者が搭乗する運転席（３）を設け、該運転席（３）の前方にハンドル（５）を設けた作業車両において、前記運転席（３）の側部のサイドフロア（７）の外側下部に形成するサイドステップ（３１）に、該サイドフロア（７）のフロアフレーム（３２）に対して適宜長さのステップアーム（３３）を介して上下方向に回動可能に設け、前記サイドステップ（３１）の外側下方の使用位置（Ａ）と、前記サイドフロア（７）の上側面に重合する収納位置（Ｂ）とに切替回動するサブステップ（３４）を設けたことを特徴とする農作業機とする。
【００１２】
請求項５に記載の発明は、走行車体（８）の後部に、圃場で作業を行う作業装置（１１）を設け、該走行車体（８）に作業者が搭乗する運転席（３）を設け、該運転席（３）の前方にハンドル（５）を設けた作業車両において、前記サイドフロア（７）の左右外側下部のサイドステップ（３１）の下側部にサブステップ（３４）を出入可能に設け、該左右両側部のサブステップ（３４）の出入作動を、相互に左右反対方向に出入作動するように連動する構成としたことを特徴とする農作業機とする。
【発明の効果】
【００１３】
請求項１に記載の発明は、シート（１６）の前側下部に配置の前後動ハンドル（１９）を回動操作して、リンク機構（１５）を介してシート（１６）を前後方向に移動調節できると共に、シート角調節ハンドル（２１）を回動操作して前記リンク機構（１５）を支持するロアリンク（２０）を上下回動させるとリンク機構（１５）の支持角度を変更調節することができるので、前記シート（１６）の前傾角度を変更することができ、これらの操作を組合せることによって作業者の体格に応じて、運転操作し易い姿勢に調節設定することができ、作業者の疲労の軽減や、作業能率の向上が図られる。
【００１４】
また、前記シート（１６）の支持位置及び姿勢をリンク機構（１５）及びハンドル（１９、２１）の回動操作によって調節操作するものであるので、構成を簡単化し、操作を迅速且つ容易化して、微調整を的確に行うことができ、操作性の向上を図ることができる。
【００１５】
請求項２に記載の発明は、請求項１に記載の発明の効果に加えて、シート角調節ハンドル（２１）を回動させてロアリンク（２０）を上下回動させると、リンク機構（１５）のシート（１６）の支持姿勢を変更調節することができるので、細かい回転操作でシート（１６）の前傾角度を微調整することができ、作業者の作業し易いシート（１６）の傾斜角度を調節することができ、作業性の向上や、作業者の労力の軽減が図られる。
【００１６】
そして、シート角調節ハンドル（２１）を有して回動される回動杆（２２）に対して、螺旋部（２３）を形成したナット（２５）を嵌合保持するソケット（２４）は、シートフロア（１４）の前端部上に固定しているため、上下回動されるロアリンク（２０）の前端支持位置を、前後方向へ変位させて、円滑で正確な前傾角度の調節操作を行うことができ、安定したシート（１６）の支持位置を維持することができる。
【００１７】
しかも、前後動ハンドル（１９）によるリンク機構（１５）を前後方向へ移動する機構と、シート角調節ハンドル（２１）によりロアリンク（２０）を上下回動する回動杆（２２）の螺旋部（２３）を螺合保持するナット（２５）、及びソケット（２４）からなる支持機構は、独立した調節操作形態に構成されているので、構成や操作を簡単且つ容易にすることができる。
【００１８】
請求項３に記載の発明は、ハンドル（５）の下部のレバーハンドル（２６）を上下回動操作して、ギヤ（２７）を回動させ、ステアリングラックギヤ（３０）を上下方向に移動させることにより、ハンドルの上下位置を調節することができるので、作業者の体格や、操作し易い姿勢に合わせて調節することができ、作業者の疲労し難い形態とすることができ作業能率を向上することができる。
【００１９】
請求項４に記載の発明は、サイドステップ（３１）の下方外側部の使用位置（Ａ）に、サブステップ（３４）を移動させることにより、このサブステップ（３４）を踏みながら、サイドステップ（３１）乃至サイドフロア（７）上に乗降移動することができるので、地面からサイドフロア（７）までの間隔が高くて搭乗し難い条件のときでも容易に乗り降りすることができ、安全性や作業能率を高めることができる。
【００２０】
また、サブステップ（３４）を収納位置（Ｂ）に操作したときは、サイドフロア（７）の上面に重なった形態となるので、サイドステップ（３４）が圃場面に接触したり、隣接構造物等に接触して損傷を受けることを防止できるので、サイドフロア（７）の外側端縁部乃至サイドステップ（３１）を、畦際や構造物等に接近させて、走行車体（８）のフロア上面に対するマット苗等の作業資材の積み降し作業や、機械室内への格納等を行い易くすることができる。
【００２１】
そして、サブステップ（３４）をステップアーム（３３）によって上下に回動して、使用位置（Ａ）と収納位置（Ｂ）とに切替回動可能な構成としたことにより、構成や操作を簡単、迅速且つ容易化することができる。
【００２２】
請求項５に記載の発明は、サイドフロア（７）の左右両側部に設けられるサブステップ（３４）は、左右いずれか一側のサブステップ（３４）を使用位置Ａに移動させると、この切替操作に連動して反対側のサブステップ（３４）が使用位置（Ａ）から収納位置（Ｂ）に作動されるので、一側部のサブステップ（３４）を収納位置（Ｂ）に切り替えるときは、他側部のサブステップ（３４）は使用位置（Ａ）に切り替えられるので、サイドフロア（７）上に乗り降りし易い側のサブステップ（３４）を乗降り位置に移動させることができ、作業や操作性が向上する。
【００２３】
また、他側部のサブステップ（３４）を使用位置（Ａ）に突出作動させない場合は、左右両側部のサブステップ（３４）の相互間の切替連動関係を断って、片側のサブステップ（３４）のみに、切替操作可能の形態とすることができる。
【図面の簡単な説明】
【００２４】
【図１】苗移植機の側面図
【図２】苗移植機の平面図
【図３】運転席部の作動を示す側面図（Ａ），（Ｂ），（Ｃ）
【図４】運転席部の正面図（Ａ）と、シート角調節ハンドル部の側面図（Ｂ）
【図５】ハンドル部の背面図
【図６】ハンドル部の側面図
【図７】サイドステップ部の一部の正面図
【図８】サイドステップ部の側面図
【図９】サイドマーカー部の側面図
【図１０】サイドマーカー部の側面図
【図１１】サイドマーカー部の平面図
【図１２】フロントマーカー部の斜視図
【図１３】フロントマーカー部の側面図
【図１４】ハンガーアーム部の側面図
【図１５】ハンガーアーム部の作動を示す側面図
【図１６】ハンガーアーム部の正面図
【発明を実施するための形態】
【００２５】
図面に基づいて、農作業機は、エンジン１カバー２の上側に運転席３を搭載し、この前方に前輪４を操向するハンドル５を設け、これらハンドル５、及び運転席３の左右両側部には、左右の前輪４間幅上、及び後輪６間幅上を覆うサイドフロア７を形成した走行車体８の後側部に、苗タンク９に補給、収容したマット苗を繰出供給しながら植付装置１０で多条植形態に苗植えする苗植付部１１、又は、施肥ホッパー１２に補給、収容した肥料を繰出供給しながら土壌面へ多条施肥形態に施肥する施肥装置１３、又は、播種ホッパーに補給、収容した種子を繰出供給しながら土壌面へ多条播種形態に播種する播種装置等の作業装置を装着する。
【００２６】
前記農作業機としての苗移植機は、運転席３前方のハンドル５で操向される前輪４と、エンジン１によって駆動回転して走行する後輪６を配置した乗用走行形態の車体８の後側部に、リフトシリンダ４０の伸縮によって昇降可能のリフトリンク４１を介して、このリフトリンク４１の後端部のローリング軸４２周りにローリング回動可能の苗植フレーム４３を連結し、この苗植フレーム４３の上側には、後下り傾斜の苗タンク９を左右往復横移動可能に支持し、後側には、各苗タンク９の後下端部の苗取口部４４に作動して、この苗タンク９から繰出されるマット苗を分離保持して土壌面へ植付ける植付装置１０を配置し、底部には、これら苗タンク９や、植付装置１０、及び苗植フレーム４３等を支持して土壌面を滑走しながら、前記各植付装置１０による苗植条位置を均平する苗植条幅方向域中央部のセンタフロート４５と、この左右両側部のサイドフロート４６とを配置した多条植形態の苗植付部１１を装着して苗移植機を構成している。
【００２７】
前記車体８の後輪６と、この後方に連結する苗植付部１１のフロ−ト４５、４６との間には、各フロ−ト４５、４６によって均平する土壌面を予め砕土して掻き均す代掻ロ−タ５０を配置して、前記リヤアクスルハウジング４７の内部伝動機構部から取り出される連動軸５１によって連動することができる。
【００２８】
前記苗移植機は、前輪４と後輪６を配置して、中央部にエンジン１と運転席３を配置した乗用四輪走行形態の車体８の後側に、リフトシリンダ４０の伸縮によって昇降される平行リンク形態のリフトリンク４１を介して、多条植形態の苗植付部１１を連結する。この苗植付部１１は、左右横方向に幅広い伝動ケースを主体とした苗植フレーム４３の中央前部にローリング軸４２を有して、このローリング軸４２の周りに苗植フレーム４３をローリング回動可能にして、リフトリンク４１後端のリンクヒッチ４８に装着する。
【００２９】
苗植フレーム４３の後側には、植付伝動ケース４９を配置して、各植付伝動ケース４９の左右両側部、又は一側部に、ダブルクランク機構形態に回転する植付装置１０を設け、この植付装置１０の先端部の植付爪５２が、楕円形状の植付軌跡線Ｄを描いて、上側の苗タンク９の苗取口部４４と土壌面との間を昇降作動して、苗取口部４４で分離保持した苗をセンタフロート４５や、サイドフロ−ト４６で均平される土壌面に多条植形態に植付ける。
【００３０】
前記苗タンク９は、図例のように八条植え形態の場合では、方形状形態のマット苗に育苗されたマット苗を、各植付装置１０に対して一枚毎対向させるようにして、横方向へ並べた形態に搭載することができる。各マット苗毎のタンク面に苗繰出ベルト５３を設け、この左右両側には適宜高さの仕切ガイド５４を形成して、マット苗の繰り出しを案内する。
【００３１】
苗タンク９は、前端上端部を運転席１６後側のリヤフロア５４部に接近させ、後端下端部を植付装置の作用する苗取口部４４にのぞませた形態の、後端下がりの傾斜面に形成して、各苗タンク毎に複数枚毎のマット苗を載せて繰り出すように構成している。各タンク９面の繰出端部側の繰出ベルト５３は、苗タンク９が左右横端部に移動する毎に、この横移動の停止に伴って連動されて間歇的に駆動されて、前記苗植付装置１０の苗植付爪５２により苗分離幅宛て繰出駆動する。
【００３２】
前記多条植形態の苗植付部１１を装着する走行車体８は、エンジン１から連動される油圧無段変則装置５４を主変速装置として、副変速装置や、クラッチ等を有したミッションケース５５を車体８の前部に配置し、このミッションケース５５の下部から左右両側方に亘って形成のフロントアクスルハウジング５５の両側端部に操向自在の操向ケース５６を設けて前前輪４車軸を軸装する。
【００３３】
前記ミッションケース５５の後方には、左右後輪６を連動する後輪連動軸５７や、ＰＴＯ軸５８が取出されて、後輪連動軸５７は、リヤアクスルハウジング４７に軸装の後輪６車軸を連動し、ＰＴＯ軸５８は苗植付部１１の入力軸を連動する。前記後輪６は、前記苗植付部１１のサイドフロート４６の直前に対向して配置され、センタフロート４５がこの左右の後輪６間隔部の中央部のセンタライン部上に配置されている。
【００３４】
前記苗植付部１１は、センタフロート４５の滑走揺動によって、リフトシリンダ４０を伸縮させて、浅い土壌面では苗植付部１１を下降し、深い土壌面では上昇させて、苗植付装置１０による苗植深さが略一定になるように維持制御する。
【００３５】
前記車体８の上部には、運転席３の左右両側部から、ハンドル５を有するステアリングポスト３６の左右両側部に亘って、前輪４、及び後輪６上部を覆うように幅広く形成したサイドフロア７を構成し、この後端部には運転席３の後側上部を左右両側方に亘るリヤフロア３９を形成して、運転者、又は作業者が、これらのサイドフロア７やリヤフロア３９上面を移動しながら、後側の苗タンク９に対する苗補給作用を行い易くしている。サイドフロア７の前端外側部には、苗補給用のマット苗を収容する複数段の苗棚枠５９を設けている。
【００３６】
又、前記リヤフロア３９の上側には、横幅広く形成の施肥ホッパ−１２と、この施肥ホッパ−１２から肥料を繰り出す各繰出装置６１、この繰出装置６１から繰り出された肥料を各施肥パイプ６０へ搬送案内する搬送ダクト６２、及びこの搬送ダクト６２に搬送風圧を送る送風機６３等を配設して、多条施肥形態の施肥装置１３を装着している。この施肥装置１３から繰出した肥料を施肥パイプ６０を経て、前記各フロ−ト４５、４６で均平した苗植付け土壌面に施肥案内する。
【００３７】
前記左右サイドフロア７の前部外側部の苗棚枠５９には、マット苗を載せる棚板６４が設けられていて、苗植作業に当っては、苗タンク９に補給するためのマット苗を予め収容させておき、苗植作業に伴って苗タンク９の苗が減少すると、作業者がサイドフロア７上面を前後に移動しながら、棚板６４上面からマット苗を取出しながら後部の苗タンク９へ補給する。
【００３８】
又、施肥ホッパー１２の肥料が減少したときは、予めサイドフロア７の前部上面に載せておく肥料袋を後側へ運んで、施肥ホッパー１２内へ補給することができる。
これら苗棚枠５９やサイドフロア７等の上面におけるマット苗や、肥料袋等がなくなったときは、苗移植機を畦際等のマット苗や、肥料袋等を供給することのできる位置に移動して、サイドフロア７の横外側縁部や、前端縁部を畦際等に接近させて、マット苗や、肥料袋等の積込、積降しを行うことができる。
【００３９】
ここにおいて、シートフロア１４上に、前後に平行揺動して角度変更可能の平行四辺形状形態のリンク機構１５を介在してシート１６を支持し、このシート１６の前端下部のリンク機構１５部に、このフロントリンク１７部に螺合させた螺杆１８を回動して、シート１６を前後動する前後動ハンドル１９と、前記リンク機構１５のロアリンク２０の前端部を上下動して、前記シート１６の前傾角度を調節するシート角ハンドル２１とを設けたことを特徴とする農作業機の構成とする。
【００４０】
また、前記リンク機構１５のロアリンク２０を上下回動するシート角ハンドル２１の回動杆２２の下端螺旋部２３を、シートフロア１４上に固定のソケット２４に嵌合保持させたナット２５に螺合して、前記シート角ハンドル２１の回動操作によって前記シート１６の前傾角を調節する構成とする。
【００４１】
そして、主として図３、図４に基づいて、運転席３は、着座面となるシート１６部と、バックレスト６５部とからなるが、このート１６の下側面部と、下側のエンジンカバー２上面に形成されるシートベース６６との間に、フロントリンク１７と、リヤリンク６７とから平行状に形成される。これらフロントリンク１７とリヤリンク６７との上端部間に亘って連結のアッパリンク６８と、下端部間に亘って連結するロアリンク２０とによって、側面視平行四辺形状形態のリンク機構１５を形成している。前記アッパリンク６８、及びロアリンク２０はシート１６下面に沿って平面視正方形状に形成されて固定、又は着脱可能に構成しているが、前記のように方形状の平板形態（プレート状形態）の構成とすることも可能である。
【００４２】
従って、前記フロントリンク１７、及びリヤリンク６７は、シート１６に下側部において、左右両側部に配置して、支持する形態である。各リンク１７、６７の上端部は、リンクピン６９、７０によってアッパリンク６８に枢着し、下端部は、リンクピン７１、７２によってロアリンク２０枢着して、底部のロアリンク２０に対して上部のアッパリンク６８が前後回動して、平行四辺形状のリンク機構１５が変形することによって、シート１６を前後方向へ移動できることができる。
【００４３】
前記リンク機構１５を前後方向に回動するための前後動ハンドル１９を有した螺杆１８が左右フロントリンク１７間の中央部に位置するフロントプレート７３の中間高さ位置のナット７４部に螺合し、後端部は左右リヤリンク６７の下端部間を連結するロアリンク（プレート）２０の後端中央部に位置するソケットメタル７５に回動自在に嵌合支持させて、このハンドル１９を手動で回すことによって、螺杆１８に対してフロントリンク１７を、下端部のリンクピン７１の周りに前後回動させることによって、リヤリンク６７をも同回動させて、シート１６を前後へ平行移動することができる。
【００４４】
前記フロントプレート７３は、上下端をアッパリンク６８とロアリンク２６の前端縁部に連結して、左右両側のフロントリンク１７と平行状に構成している。又、この螺杆１８の螺合するナット７４は、フロントプレート７３に対して上下回動自在に支持されて、フロントプレート７３と螺杆１８との交差角度の変化を自在とする。又、螺杆１８の後端を回動自在に支持するソケットメタル７５は、ロアリンク（プレート）２０の後端縁中央部に上下回動自在に設けられて、螺杆１８は回動自在であるが、前後方向へは移動できないように構成される。
【００４５】
また、図３のように前記リンク機構１５を支持装着するロアリンク２０の前端部に係合片７６を設けて、この係合片７６を、シート各ハンドル２１、及びこの回動杆（螺杆）２２の回動によって上下移動調節できるナット７７の上側面に係合支持させて、ロアリンク２０の前端部を上下回動して前傾角度を変更調節できる。    又、図４（Ｂ）のように、前記回動杆２２の下端部を螺合するナット２５を、シートフロア１４に固定のソケット２４内に嵌合させて固定保持させて、しかも、このナット２５、及び回動杆２２の上部にスナップリング７８を設けて、上側にロアリンク２０前端部の係合片７６を支持することが可能である。
【００４６】
また、前記農作業機において、前記シート１６前方のハンドル５の下部位置で上下回動可能のレバーハンドル２６によって回動のギヤ２７を、ステアリング軸２８に対して昇降自在にスプライン２９嵌合したハンドル５と一体のステアリングラック３０に歯合させて、ハンドル５の高さを調節することを特徴とする農作業機の構成とする。
【００４７】
そして、主として図５、図６において、レバーハンドル２６の上下回動操作によって、ハンドル５を上下移動させて、ハンドル５高さを調節することができる。ステアリング軸２８の上端部と、この上端部に嵌合するステアリングケース８１との間には、スプライン２９を形成して、相互嵌合してハンドル５のステアリングケース８１が上下に移動でき、しかもどの移動位置においても操向回動操作できる構成とする。
【００４８】
ステアリングポスト３６の上端にロックプレート３７を形成して、このロックプレート３７にレバーハンドル２６で回動できるギヤ２７をギヤ軸８２周りに回動自在に設け、このレバーハンドル２６のストッパピン３５を、ギヤ２７のピン穴３８を通してロックプレート３７のピン穴に亘って挿通して、このギヤ２７の回動位置を固定することができる。又、このストッパピン３５をピン穴３８に対して嵌脱するには、レバーハンドル２６を横方向へ移動操作することによって行われる。
【００４９】
このギヤ２７と噛合のステアリングラック３０は、ステアリング軸２８の横側に沿って設けられ、上端部をステアリングケース８１の下端部に固定して、一体的に上下動する。レバーハンドル２６を中立位置Ｐから、上方位置Ｕへ回動すると、ハンドル５の位置を下降し、逆に下方位置Ｄへ回動すると、ハンドル５を上昇することができる。
【００５０】
また、前記農作業機において、前記運転席３側方部のサイドフロア７の外側下部に形成するサイドステップ３１部に、このサイドフロア７下のフロアフレーム３２に対して、適宜長さのステップアーム３３を介して上下方向に回動可能に取付けて、前記サイドステップ３１の外側下方の使用位置Ａと、サイドフロア７の上側面に重合する収納位置Ｂとに、切替回動するサブステップ３４を設けたことを特徴とする農作業機の構成とする。
【００５１】
更には、前記サイドフロア７の左右外側下部のサウドステップ３１部の下側部に、サイドステップ３４を出入可能に設け、これら左右両側部のサブステップ３４の出入作動を、相互に左右反対方向に出入作動するように連動することを特徴とする農作業機の構成とする。
【００５２】
そして、主として図７、図８に基づいて、前記サイドフロア７の外側端部のサイドステップ３１の下部外側部にサブステップ３４を出入り切替可能に設ける。サイドフロア７を支持するフロアフレーム３２には、前輪４と後輪６との間のホイルベース部の中間部において、サイドフロア７の外側縁よりも突出させた位置に形成して、作業者のサイドフロア７に対する乗降を容易化する。サブステップ３４は、サイドステップ３１に内端部にアーム軸８３を有し、このアーム軸８３の周りに上下回動して、外側の使用位置Ａと、上方の収納位置Ｂとに回動する。この収納位置Ｂのサブステップ３４は、サイドフロア７の外側上面部に重合して、作業者がこのサブステップ３４の裏面を踏み易くする。
【００５３】
左右のサブステップ３４を連動して作動させる場合は、フロアの中央部等に、モータ８４、又は手動によってアーム８５を回動して、このアーム８５の左右両端部と、反対側に位置する前記アーム軸８３のアーム８６との間をワイヤー８７で連結して、使用位置Ａと収納位置Ｂとに相互に反対側へ切替作動させる。
【００５４】
また、左右いずれか一方のサブステップ３４を作業者が直接回動操作することによっても、他側のサブステップ３４を使用位置Ａ、収納位置Ｂの相反対する側へ切替作動することができる。
【００５５】
次に、図９〜図１１において、車体８の前部に設けるサイドマーカー９０について、このサイドマーカー９０を有したマーカーロッド９１を、車体８幅の外側端部に設けたガイドパイプ９２に差込保持させて、この車体８幅内部へ出入可能に設け、このサイドマーカー９０を押込位置でマーカーロッド９１周りに回向して車体８の外側部に沿った収納位置へ回動可能に設ける。前記ガイドパイプ９２にはスナップリング９３を設けて、マーカーロッド９１、及びサイドマーカー９０の指示位置、及び収納位置を固定するように構成している。苗移植機の移動時や、トラック荷台に対する積み下し時、車庫への収納時等において、障害物に対して接触したり、損傷するのを防止する。
【００５６】
次に、図１２、図１３において、ステアリングポスト３６の上端部、前側位置で、ハンドル５の下側部位置に、メータパネル９５を設け、このメータパネル９５の前側下部に、先端部にマスコット９６を有したマスコットアーム９７を、前側上方へ出Ａ、入Ｂ回動可能に設ける形態とする。前記マスコット９６は、例えばＬＥＤを点滅させて、第三者からの視認性を向上させる発信器等がある。前記マスコットアーム９７はメータパネル９５の前端上部にアームピン９８周りに前後回動可能に設け、マスコットアーム９７の先端部に対してマスコット９６を、発光角度をマスコットピン９９周りに上下に変向可能に枢着する。又、前記マスコット９６のＬＥＤ点滅を、このマスコットアーム９７の出入回動によって、収納位置Ｂにおいても行わせることができる。
【００５７】
次に、主として図１４〜図１６に基づいて、車体８の前部上に、左右両側のサイドフロア７、及びハンドル５上方部をまたぐように正面視門形状のリフトフレーム１０１を、苗棚枠５９上の支持軸１０２周りに前後方向に回動可能に設け、このリフトフレーム１０１の上端部で左右水平状の吊下部１０３に、肥料袋１０４等を受けるハンガー１０５を取付けて、このリフトフレーム１０１を車体８の前後方向へ回動させて、ハンガー１０５に載せた肥料袋や、又はマット苗等を運転席３越しに後側の施肥ホッパー１２上や、苗タンク９上側部等の補給し易い位置へ運ぶことができる。前記ハンガー１０５を施肥ホッパー１２上へ移動させた状態で、施肥ホッパー１２上の蓋１０６を開けて、ハンガー１０５上の袋口を開けることにより、肥料を容易に補給することができる。
【００５８】
また、このハンガー１０５を吊下部１０３に沿って左右方向へ移動させて幅広い施肥ホッパー１２に対する均等な補給を行わせることができる。又、前記リフトフレーム１０１と車体８側の構成部材との間には、ストッパー機構１０７を設けて、このリフトフレーム１０１の回動位置を適宜選定位置に係止するように構成して、資材の積み下し、乃至補給作業を行い易くすることができる。又、前記リフトフレーム１０１の前後回動を、手動操作で行ったり、モータ駆動によって行う形態とすることもできる。
【符号の説明】
【００５９】
１    エンジン
２    エンジンカバー
３    運転席
４    前輪
５    ハンドル
６    後輪
７    サイドフロア
８    車体
９    苗タンク
１０    植付装置
１１    苗植付部
１２    施肥ホッパー
１３    施肥装置
１４    シ−トフロア
１５    リンク機構
１６    シ−ト
１７    フロントリンク
１８    螺杆
１９    前後動ハンドル
２０    ロアリンク
２１    シ−ト角ハンドル
２２    回動杆
２３    螺旋部
２４    ソケット
２５    ナット
２６    レバ−ハンドル
２７    ギヤ
２８    ハンドル
２９    スプライン
３０    ステアリングラック
３１    サイドステップ
３２    フロアフレ−ム
３３    ステップア−ム
３４    サブステップ
３５    ストッパピン
３６    ステアリングポスト
３７    ロックプレ−ト
３８    ピン穴
３９    リヤフロア
【図１】
2015143080.tif 000003
【図２】
2015143080.tif 000004
【図３】
2015143080.tif 000005
【図４】
2015143080.tif 000006
【図５】
2015143080.tif 000007
【図６】
2015143080.tif 000008
【図７】
2015143080.tif 000009
【図８】
2015143080.tif 000010
【図９】
2015143080.tif 000011
【図１０】
2015143080.tif 000012
【図１１】
2015143080.tif 000013
【図１２】
2015143080.tif 000014
【図１３】
2015143080.tif 000015
【図１４】
2015143080.tif 000016
【図１５】
2015143080.tif 000017
【図１６】
2015143080.tif 000018